(57)【要約】      （修正有）【課題】水拭き用途、カラ拭き用途のいずれにも適し、台所回り、窓ガラス、網戸、フローリング床などの水拭き箇所や、家具、楽器、置物、本などのカラ拭き箇所などでの使用に際し、各種の油汚れやチリ、ほこりをきれいに拭い去ることができ、またこれを水洗いするだけで再度汚れの無い状態で次の使用に対処できるようになるダスターを提供する。【解決手段】ポリエステル繊維で基布２を形成し、この基布を重ね合わせて周辺を縫い込んで袋体３を形成し、この袋体の表面に、毛足寸法が３〜１０ｍｍとなるビスコースレーヨン繊維を群密状に編み込んだことを特徴とし、さらには基布を重ね合わせた内部に、厚さ寸法が４〜１０ｍｍの吸収性ウレタン素材４を収納してなる。【選択図】図２
0003152589.tif 000002
【実用新案登録請求の範囲】
【請求項１】
ポリエステル繊維で基布を形成し、この基布を重ね合わせて周辺を縫い込んで袋体を形成し、この袋体の表面に、毛足寸法が３〜１０ｍｍとなるビスコースレーヨン繊維を群密状に編み込んだことを特徴とするダスター。
【請求項２】
前記基布を重ね合わせた内部に、厚さ寸法が４〜１０ｍｍの吸収性ウレタン素材を収納したことを特徴とする請求項１記載のダスター。
【請求項３】
前記袋体に、重ね合わせた基布が互いに分離しないための分離防止用縫い目を形成したことを特徴とする請求項１又は２記載のダスター。
【請求項４】
分離防止用縫い目が縦横に等間隔で各二本づつ形成されていることを特徴とする請求項１乃至３のいずれかに記載のダスター。
【考案の詳細な説明】
【技術分野】
【０００１】
本考案は、水拭き用途、カラ拭き用途のいずれにも適し、台所回り、窓ガラス、網戸、フローリング床などの水拭き箇所や、家具、楽器、置物、本などのカラ拭き箇所などでの使用に際し、各種の油汚れやチリ、ほこりをきれいに拭い去ることができ、またこれを水洗いするだけで再度汚れの無い状態で次の使用に対処できるようになるダスターに関する。
【背景技術】
【０００２】
従来より、水拭き用途やカラ拭き用途に特化したダスターは、別個に存在していたが、両方の用途を兼ね備えたダスターは開発されていなかった。
また吸水性を十分に確保したダスターの開発も期待されているが、いまだ完全なものが完成していない状況であった。
【特許文献１】特開平７−３２７８９９号公報
【考案の開示】
【考案が解決しようとする課題】
【０００３】
本考案は、手触りが良く、外観の美観に優れ、水拭き用途とカラ拭き用途の両方の用途を兼ね備え、水分の吸収性を高めることで、利用価値が高くて使い易いダスターを提供することを目的としている。
【課題を解決するための手段】
【０００４】
前記課題を解決するために、請求項１に記載の考案は、ポリエステル繊維で基布を形成し、この基布を重ね合わせて周辺を縫い込んで袋体を形成し、この袋体の表面に、毛足寸法が３〜１０ｍｍとなるビスコースレーヨン繊維を群密状に編み込んだことを特徴とするダスターである。
【０００５】
請求項２に記載の考案は、前記基布を重ね合わせた内部に、厚さ寸法が４〜１０ｍｍの吸収性ウレタン素材を収納したことを特徴とする請求項１記載のダスターである。
【０００６】
請求項３に記載の考案は、前記袋体に、重ね合わせた基布が互いに分離しないための分離防止用縫い目を形成したことを特徴とする請求項１又は２記載のダスターである。
【０００７】
請求項４に記載の考案は、分離防止用縫い目が縦横に等間隔で各二本づつ形成されていることを特徴とする請求項１乃至３のいずれかに記載のダスターである。
【考案の効果】
【０００８】
上記の請求項１乃至４の考案によれば、手触りが良く、外観の美観に優れ、水拭き用途とカラ拭き用途の両方の用途を兼ね備え、水分の吸収性を高めることが可能なダスターが得られるという効果を発揮する。
【０００９】
また請求項２の考案によれば、基布を重ね合わせた内部に、吸水性ウレタン素材を収納したため、ダスターの吸水性を格段に向上させるという効果を発揮する。
【００１０】
さらに請求項３の考案によれば、前記袋体に、重ね合わせ基布が互いに分離しないための分離防止用縫い目を形成したため、基布同士のねじれや剥離が起こらず、使い易さが向上するという効果を発揮する。
【００１１】
ついで請求項４の考案によれば、分離防止用縫い目を、縦横に等間隔で各二本づつ形成したため、ダスター全体としてさらにねじれや剥離が起きにくいという効果を発揮する。
【考案を実施するための最良の形態】
【００１２】
以下添付図面に基づいて、本考案に係るダスターの一実施の形態を詳説するが、本考案はこれらの実施の形態に制限されるものではない。
図１は、本考案に係るダスターの斜視図であり、図２はダスターの拡大一部断面図であり、図３はビスコースレーヨン繊維のチリ、ほこりの取り込み、及び放出のメカニズムを説明する正面図である。
【００１３】
図１乃至図３に示されるごとく、本考案のダスター１は、ポリエステル繊維で形成される基布２を重ねあわせ、その重ね合わせの周辺を縫い込んで袋体３を形成している。
【００１４】
この袋体３の内部は、空間部かあるいは後述する吸収性ウレタン素材４を収納するための区画となる部分であり、また袋体３の表面には、毛足寸法が３〜１０ｍｍとなるビスコースレーヨン繊維５を群密状に編みこんでいる。
【００１５】
ここで群密状とは、多数と同義であるが、例えば７５〜１５０デニール（又は８４〜１６７デシテックス）の太さの糸で１平方ｃｍ当たり、１千〜４万本程度の密度で編みこまれていることを意味する。
【００１６】
また基布２を重ね合わせた袋体３には、重ね合わせた基布２が互いに分離することを防止するために、分離防止用縫い目６を備えており、その分離防止用縫い目６で重ね合わせられている基布２同士を固定している。
袋体３内に吸収性ウレタン素材４を収納している場合には、吸収性ウレタン素材４と基布２の分離を防止しており、拭き掃除中にダスター１が不自然によじれたり分離することは防止される。
この吸収性ウレタンの厚さ寸法は、例えば４〜１０ｍｍ程度が好ましい。
【００１７】
本考案の基布２は、ポリエステル繊維で形成されるが、このポリエステル繊維は強度・磨耗に強いため、耐摩耗性、耐久性に優れている。さらに、耐油性、耐薬品性、耐熱性に優れているので、ダスターとしての基本的特質である、耐摩耗性、耐久性、耐油性、耐薬品性、耐熱性を備えており、大変使い易いものとなる。
【００１８】
ついで袋体３の表面に群密状に編み込まれるビスコースレーヨン繊維５は、原料の木材パルプから絹の外観に似せて人工的に作った繊維であり、吸湿、吸水性が高く（化学繊維の中で一番高く、綿よりも良い）、染色性に優れるため極めてきれいな外観に染め易く、独特の光沢とドレープ性に優れ、耐熱性があり、熱や油で軟化したり溶解しないという性質を有する。
【００１９】
また水に濡れると、水分を良く吸い取る反面、繊維が膨れて太さが増し、全体の長さは縮んでしまう性質（膨潤収縮）があるため、乾燥状態でチリ、ほこり７を確実に捕捉した状態で、そのダスター１を水洗いするとビスコースレーヨン繊維５は第３図に示すように膨潤収縮して、各ビスコースレーヨン繊維５が反り返り、ビスコースレーヨン繊維５の間隔が広がるため、チリ、ほこり７を容易に捕捉状態から放出することができ、ダスター１として水洗いによる汚れ落しが大変容易となる効果がある。
【００２０】
特に網戸の掃除に際しては、袋体３の表面のビスコースレーヨン繊維５が束状となって、網戸の網目に入り込んでチリやほこり７を取り除き、ビスコースレーヨン繊維５でそれを確実に捕捉回収できるので、ダスター１の掃除の効果は相当程度に満足のいくものとなる。
【産業上の利用可能性】
【００２１】
本考案のダスターは、家庭、学校、企業、工場、飲食店など各方面での水拭き用途やカラ拭き用途のダスター使用を行う場所で、重宝に利用することが可能である。
【図面の簡単な説明】
【００２２】
【図１】本考案に係るダスターの斜視図である。
【図２】ダスターの拡大一部断面図である。
【図３】ビスコースレーヨン繊維のチリ、ほこりの取り込み、及び放出のメカニズムを説明する正面図である。
【符号の説明】
【００２３】
１ …ダスター
２ …基布
３ …袋体
４ …吸水性ウレタン素材
５ …ビスコースレーヨン繊維
６ …分離防止用縫い目
７ …チリ、ほこり
【図１】
0003152589.tif 000003
【図２】
0003152589.tif 000004
【図３】
0003152589.tif 000005